(57)【要約】【課題】逆流防止性能を損なうことなく遠心時の脱泡性を向上させた筆記具を提供する。【解決手段】ボールペンチップ（１０）が継ぎ手（２０）を介してインク収容管（４０）に取り付けられ、継ぎ手（２０）内には、インク導孔（２１）と、該インク導孔（２１）上に形成された弁室（２２）とが設けられ、弁室（２２）内には弁体（３０）が設けられるとともに、弁体（３０）を偏心させる突部（２３）を設け、ボールペンチップ（１０）側が下向きの時には該突部（２３）により弁体（３０）がボールペンチップ（１０）軸心に対し偏心して位置し、ボールペンチップ（１０）内にインク（６０）が流入可能となり、弁室（２２）の後方には弁体受け座（２４）が形成され、ボールペンチップ（１０）側が上向きの時にインク（６０）の逆流が阻止されるボールペンであって、弁体（３０）を偏心させるための突部（２３）の前方端部に、軸方向に対して傾斜している傾斜面（２５）を設けたことを特徴とする。【選択図】  図２
2004314340.tif 000002
【特許請求の範囲】
【請求項１】
ボールペンチップが継ぎ手を介してインク収容管に取り付けられ、
継ぎ手内には、ボールペンチップ後端とインク収容管とを連通しインク流通が可能なインク導孔と、該インク導孔上に形成された弁室とが設けられ、
弁室内には弁体が設けられるとともに、弁体をボールペンチップ軸心に対し偏心させる突部を設け、ボールペンチップ側が下向きの時には該突部により弁体がボールペンチップ軸心に対し偏心して位置し、インク導孔を通じてボールペンチップ内にインクが流入可能となり、
弁室の後方には弁体受け座が形成され、ボールペンチップ側が上向きの時に弁体が弁体受け座に密接してインクの逆流が阻止されるボールペンにおいて、
弁体を偏心させるための突部の前方端部に、軸方向に対して傾斜している傾斜面を設けたことを特徴とするボールペン。
【発明の詳細な説明】
【０００１】
【発明の属する技術分野】
本発明は、ボールペンに関する。
【０００２】
【従来の技術】
ボールペンは、一般的にボールペンチップを下向きにした際に、インクにかかる重力によりインクをボールペンチップへ供給することにより、ボールペンチップ先端からインクを吐出可能とするものである。
このボールペンは現在においてもいくつかの解決すべき課題を有しており、その中のひとつが逆流の問題である。ボールペンチップを上向きにして筆記を行うと、ボールペンチップの先端から空気を巻き込み、ペン先に空気が侵入し、インク収容管内にインクを保持できずにインク収容管の端部からインクが漏れだしてしまうという問題を有している。この問題を解決するため、例えば、インクの後端にグリース状やゲル状のインク追従体を入れたり、ボールペンチップとインク収容管とを接続する継ぎ手内に逆止弁を設ける手法が取り入れられている。継ぎ手内に逆止弁を取り入れた従来の技術としては、例えば、特開平７−２５１５９２号公報（特許文献１）が挙げられる。
【０００３】
【特許文献１】特開平７−２５１５９２号公報
【０００４】
特許文献１では、弁室内に弁体を設けたボールペンのインク逆流防止機構を開示しており、図１〜図４は弁体が抜出不能に当接する突条を弁室内に設け、弾性変形を利用して弁体を弁室内に挿入する技術が開示されており、図５及び図６においては、弁室内に突部を設けることにより弁体をボールペンチップ軸心に対して偏心させることでボールペンチップが下向きの際にインクが流入可能なインク流路が構成される技術が開示されている。
逆止弁を設けるにあたって、前者即ち弁体が抜出不能に当接する突条を弁室内に設け、弾性変形を利用して弁体を弁室内に挿入するといった手法に比べ、後者即ち弁室内に突部を設けることにより弁体をボールペンチップ軸心に対して偏心させることでボールペンチップが下向きの際にインクが流入可能なインク流路が構成される手法の方が、金型精度や成形条件が楽になり、弁体挿入時の突条の損傷といった問題も持たずにインクの逆流防止を行うことができる。
【０００５】
しかしながら、特許文献１の図５及び図６では、該突部の前方端面が軸線方向に対して垂直な面となっており、この垂直な面付近に空気が残留してしまうという問題を有している。この問題を図７〜図９を用いて詳細に説明する。
【０００６】
図７は、インク収容管４０の先端に継ぎ手２０を接続し、この継ぎ手２０の前方にさらにボールペンチップ１０を接続したものである。継ぎ手２０内には、インク導孔２１が形成され、インク収容管４０内のインク６０は、該導孔を通じてボールペンチップ１０まで誘導される。この導孔上には、弁室２２が形成されており該弁室２２内に球状の弁体３０が設けられている。
【０００７】
図７に示されるように組上げられたボールペンは、インク６０内部の気泡５０を取り除く遠心処理による脱泡を行う場合がある。なぜなら、インク内部に気泡５０が残留してしまうとかすれなどの筆記不良が発生するおそれがあるためである。遠心処理は、例えばペン先を下方とし、このペン先方向に遠心力Ｇを加えることにより行われる。遠心力Ｇを加えると、弁体３０が前方に移動するとともに、インク内部の気泡５０はペン先とは反対方向（図の上方）に向かって移動し最終的にインク６０の後端からインク外部に向かって放出される。
【０００８】
図８は、図７の継ぎ手２０周辺を拡大して示した縦断面図である。継ぎ手２０内に形成されたインク導孔２１上には、弁室２２が形成されており、この弁室２２内に弁体３０が設けられている。そして、弁室２２の内壁には内方に突出した２つの突部２３が形成され（図９参照）、この突部２３により内部の弁体３０がボールペンチップ１０の軸心に対し偏心するようにされている。上記２つの突部２３間には凹溝２８が形成され（図９参照）、ペン先が下方のときは、ボールの周囲とこの凹溝２８間をインク６０が流通し、さらに、弁体３０がボールペンチップ１０軸心に対し偏心しているため、弁体３０がボールペンチップ１０後端を塞ぐことなく、ボールペンチップ１０にインク６０を供給することができる。
【０００９】
しかし、突部２３の前端部は軸方向に対し垂直な面となっており、この垂直面２６の前方に気泡５０がたまってしまう気泡だまり２７が形成されており、遠心時にこの気泡だまり２７の気泡５０を完全に脱泡できないという問題を有している。
【００１０】
【発明が解決しようとする課題】
そこで、本発明は上記問題を解決するものであり、逆流防止性能を損なうことなく、遠心時の脱泡性を向上させた筆記具を提供するものである。
【００１１】
【課題を解決するための手段】
上記課題を解決する本発明のボールペンは、ボールペンチップが継ぎ手を介してインク収容管に取り付けられ、継ぎ手内には、ボールペンチップ後端とインク収容管とを連通しインク流通が可能なインク導孔と、該インク導孔上に形成された弁室とが設けられ、弁室内には弁体が設けられるとともに、弁体をボールペンチップ軸心に対し偏心させる突部を設け、ボールペンチップ側が下向きの時には該突部により弁体がボールペンチップ軸心に対し偏心して位置し、インク導孔を通じてボールペンチップ内にインクが流入可能となり、弁室の後方には弁体受け座が形成され、ボールペンチップ側が上向きの時に弁体が弁体受け座に密接してインクの逆流が阻止されるボールペンであって、弁体を偏心させるための突部の前方端部に、軸方向に対して傾斜している傾斜面を設けたことを特徴とするものである。
【００１２】
【発明の実施の形態】
本発明の実施の形態を図１〜図６を用いて説明する。図１は、本発明の第１の実施形態の全体を示す縦断面図である。
インク収容管４０の先端に継ぎ手２０を接続し、この継ぎ手２０の前方にさらにボールペンチップ１０を接続してある。継ぎ手２０の外側にインク収容管４０を嵌合するとともに、継ぎ手２０の中程に形成された外方へ突出した顎部にインク収容管４０の先端が当接している。インク収容管４０内にはインク６０が収容されており、このインク６０はインク導孔２１を通じてボールペンチップ１０へ導かれる。このインク導孔上２１には、弁室２２が形成されており該弁室２２内に球状の弁体３０が設けられている。なお、弁体の形状としては球状に限られず、例えばテーパー面を有した砲弾型形状などもある。
【００１３】
次に図２を用いて継ぎ手２０の周辺を詳細に説明する。
継ぎ手２０の軸方向中心にはインク６０をインク収容管４０からボールペンチップ１０へ誘導するインク導孔２１が形成され、この導孔上であって継ぎ手２０の先端には、ボールペンチップ１０が圧入固定されている。インク導孔２１は、後方から前方向かう途中で段部２９が形成され縮径されており、この段部２９の前方には後方より小径のインク導孔２１が形成されている。なお、本明細書において前方とはボールペンチップ１０方向をいい、後方とはインク収容管４０方向をいう。
小径のインク導孔２１の前方には、拡径された弁室２２が形成されており、この弁室２２内に弁体３０が前後左右方向に揺動可能に設けられている。この弁室２２内には、弁室２２内壁から内方に向かって２つの突部２３が形成され、さらにこの２つの突部２３間に凹溝２８が形成されている（図９参照）。この点については従来技術を示す図９と同様である。
【００１４】
ボールペンチップ１０が下方に向いた場合は、弁体３０が前方に移動するとともにボールペンチップ１０の軸心とは偏心した位置に位置し、更に、インク６０が弁体３０の周囲および凹溝２８を経由してボールペンチップ１０に供給される。ボールペンチップ１０が上方を向いたときは、弁体３０が弁体受け座２４に密接し、インク６０の流通が遮断され、仮に上向き筆記を行ったとしても逆流が防止される。
そして、突部２３の前方端部には軸方向に対して傾斜している傾斜面２５を設けてある。詳細に説明すると、この傾斜面２５は弁室２２内壁に形成された突部２３の前方の端部における角部を切り落とし、後方に向かって内径が狭まっていくテーパー状としてある。このため、ボールペンチップ１０方向に遠心力を加えたとしても、インク内の気泡は突部２３の前方に滞ることなく、後方へ移動することができる。
なお、突部２３の前方端部に傾斜面２５を設けた点以外は、図７〜図９に示した態様と基本的には同じであるためこれ以上の説明は省略する。
【００１５】
さらに、図１〜図６には開示されていないが、ボールペンチップ１０の内孔にスプリングを内挿しボールペンチップ１０の後端をカシメてスプリングの後端が抜出不能に設けることもできる。さらに、スプリングの先端に直立上の棒軸部を形成し、当該棒軸部の先端を先端ボールの後端に押圧状に当接させることもできる。
【００１６】
インク収容管４０に収容されているインク６０は、静的には高い粘性を有し、筆記時のボールの回転で粘性が低下して流出可能となる剪断減粘性を有しており、必要によりインク６０の後端にインク６０の消耗と共にインク面に接触して追随して移動可能なグリース状のフォロワを充填することもできる（図示せず）。さらに、高粘度の油性インク、低粘度の水性インクなども用いることができ、インクの種類は特に限定されない。
【００１７】
図３は、本発明の第２の実施形態であるボールペンの要部縦断面図で、ボールペンチップ１０を下向きにした状態を示している。図４は、図３のＡ−Ａ線断面図である。本実施形態では、弁室２２内壁から内方に向かって突出する突部２３を１つとした。この突部２３は軸方向に延伸されリブ状に形成されており、軸中心に面した面と、この面の両側に２つの側面が形成されている（図４も参照）。この突部２３により弁室２２内の弁体３０は、ボールペンチップ１０の軸心に対し偏心して位置するようになる。その結果、ボールペンチップ１０が下向きのときにインク６０は、弁体３０と弁室２２との間に形成された隙間や、突部２３の側面を通過し、ボールペンチップ１０に供給される。なお、弁体３０はボールペンチップ１０軸心に対し偏心しているため、弁体３０がボールペンチップ１０の後端を塞ぐことはない。
突部２３の前方端部には、軸方向に対して傾斜している傾斜面２５が設けてある。詳細には、突部２３前方端部に、両側面に向かって半円状の曲面が形成されている。遠心を行ったときには、内部の気泡５０は突部２３の前方端部の前方に滞ることなく、突部２３の側面を通過して後方（図の上方）へ移動することができる。このように、このように傾斜面２５は単なる平面に限定されることなく、曲面で形成することもできる。
【００１８】
次に、図５及び図６を用いて第３の実施形態を説明する。図５は、ボールペンの要部縦断面図で、ボールペンチップを下向きにした状態を示している。図６は、図５のＢ−Ｂ線断面図である。
弁室２２には、弁室２２の内壁から内方に向かって突出した２つの突部２３が設けられている。それぞれの突部は軸方向に沿ってリブ状に形成されており、軸中心に面した面と、この面の両側に２つの側面が形成されている。そして、この２つの突部の間にインクや気泡の流通を行わせる凹溝２８が形成されている。ボールペンチップ１０が下向きのときにインク６０は、弁体３０と弁室２２との間に形成された隙間や、凹溝２８を通過し、ボールペンチップ１０に供給される。なお、弁体は突部２３によりボールペンチップ１０軸心に対し偏心しているため、弁体３０がボールペンチップ１０の後端を塞ぐことはない。
【００１９】
それぞれの突部２３の前方端部には、軸方向に対して傾斜している傾斜面２５が設けてある。詳細には、凹溝２８に面した側面の反対側の側面に向かって前方端部を切り落とす形で平坦な傾斜面が形成されている。遠心を行ったときには、内部の気泡５０は突部２３の前方端部の前方に滞ることなく、突部２３の円周方向側面を通過して後方（図の上方）へ移動することができる。
【００２０】
【発明の効果】
本発明のボールペンの構成及び作用は以上の如くであり、従来の手法と遜色なく逆流防止性能を保持することができ、且つ、脱泡性を向上させるものである。
【図面の簡単な説明】
【図１】本発明の第１の実施形態の全体を示す縦断面図である。
【図２】本発明の第１の実施形態であるボールペンの要部縦断面図で、ボールペンチップを下向きにした状態を示している。
【図３】本発明の第２の実施形態であるボールペンの要部縦断面図で、ボールペンチップを下向きにした状態を示している。
【図４】図３のＡ−Ａ線断面図である。
【図５】本発明の第３の実施形態であるボールペンの要部縦断面図で、ボールペンチップを下向きにした状態を示している。
【図６】図５のＢ−Ｂ線断面図である。
【図７】従来の技術を示す縦断面図である。
【図８】図７の継ぎ手周囲を拡大して示した要部拡大断面図である。
【図９】図７中で示した継ぎ手からボールペンチップ及び弁体を取り除いた状態の下面図である。
【符号の説明】
１０  ボールペンチップ
２０  継ぎ手
２１  インク導孔
２２  弁室
２３  突部
２４  弁体受け座
２５  傾斜面
２６  垂直面
２７  気泡だまり
２８  凹溝
２９  段部
３０  弁体
４０  インク収容管
５０  気泡
６０  インク
【図１】
2004314340.tif 000003
【図２】
2004314340.tif 000004
【図３】
2004314340.tif 000005
【図４】
2004314340.tif 000006
【図５】
2004314340.tif 000007
【図６】
2004314340.tif 000008
【図７】
2004314340.tif 000009
【図８】
2004314340.tif 000010
【図９】
2004314340.tif 000011